(57)【要約】【課題】鉛直方向の省スペース化が実現できる基板液処理装置のミスト回収機構を提供すること。【解決手段】本発明は、基板を保持する載置台と、前記載置台を回転させる回転駆動部と、前記載置台に載置される基板に液体を供給する液体供給部と、前記載置台に載置されて回転する基板から飛散する液体を下方へ案内するために、上から順に設けられた、液体案内上部カップと、液体案内中央カップと、液体案内下部カップと、前記液体案内中央カップを昇降させるための駆動機構と、を備え、前記駆動機構が前記液体案内中央カップを昇降させることによって、液体案内上部カップと液体案内中央カップとの間の間隔、及び／または、液体案内中央カップと液体案内下部カップとの間の間隔が変化するようになっていることを特徴とする基板液処理装置。【選択図】図４
2011254016.tif 000002
【特許請求の範囲】
【請求項１】
基板を保持する載置台と、
前記載置台を回転させる回転駆動部と、
前記載置台に載置される基板に液体を供給する液体供給部と、
前記載置台に載置されて回転する基板から飛散する液体を下方へ案内するために、上から順に設けられた、液体案内上部カップと、液体案内中央カップと、液体案内下部カップと、
前記液体案内中央カップを昇降させるための駆動機構と、
を備え、
前記駆動機構が前記液体案内中央カップを昇降させることによって、前記液体案内中央カップは、その昇降移動の一部において、前記液体案内下部カップ及び前記液体案内上部カップからは独立に昇降する一方、その昇降移動の他の一部において、前記液体案内下部カップ及び／または前記液体案内上部カップと共に昇降するようになっている
ことを特徴とする基板液処理装置。
【請求項２】
前記載置台に載置されて回転する基板から飛散する液体を、液体案内上部カップと液体案内中央カップとの間で案内する時、液体案内中央カップと液体案内下部カップとの間は閉塞される
ことを特徴とする請求項１に記載の基板液処理装置。
【請求項３】
前記載置台に載置されて回転する基板から飛散する液体を、液体案内中央カップと液体案内下部カップとの間で案内する時、液体案内上部カップと液体案内中央カップとの間は閉塞される
ことを特徴とする請求項１または２に記載の基板液処理装置。
【請求項４】
前記液体案内下部カップは、その外周壁に外側フランジを有しており、
前記液体案内中央カップは、前記液体案内下部カップの前記外側フランジを下方から支持可能な内周側当接部を有しており、
前記液体案内中央カップの前記内周側当接部が前記液体案内下部カップの前記外側フランジを下方から支持した状態において、前記液体案内中央カップが上昇する時、前記液体案内下部カップも同時に上昇するようになっている
ことを特徴とする請求項１乃至３のいずれかに記載の基板液処理装置。
【請求項５】
前記液体案内上部カップは、その外周壁に外側フランジを有しており、
前記液体案内中央カップは、前記液体案内上部カップの前記外側フランジを下方から支持可能な外周側当接部を有しており、
前記液体案内中央カップの前記外周側当接部が前記液体案内上部カップの前記外側フランジを下方から支持した状態において、前記液体案内中央カップが上昇する時、前記液体案内上部カップも同時に上昇するようになっている
ことを特徴とする請求項１乃至４のいずれかに記載の基板液処理装置。
【請求項６】
基板を保持する載置台と、
前記載置台を回転させる回転駆動部と、
前記載置台に載置される基板に液体を供給する液体供給部と、
前記載置台に載置されて回転する基板から飛散する液体を下方へ案内するために、上から順に設けられた、液体案内上部カップと、液体案内中央カップと、液体案内下部カップと、
前記液体案内中央カップを昇降させるための駆動機構と、
を備え、
前記駆動機構が前記液体案内中央カップを昇降させることによって、前記液体案内中央カップは、その昇降移動の一部において、前記液体案内下部カップ及び前記液体案内上部カップからは独立に昇降する一方、その昇降移動の他の一部において、前記液体案内下部カップ及び／または前記液体案内上部カップと共に昇降するようになっている
ことを特徴とする基板液処理装置を制御する制御方法であって、
前記駆動機構を制御して、前記液体案内中央カップを、前記液体案内下部カップ及び前記液体案内上部カップからは独立に昇降する工程と、
前記駆動機構を制御して、前記液体案内中央カップを、前記液体案内下部カップ及び／または前記液体案内上部カップと共に昇降する工程と、
を備えたことを特徴とする基板液処理装置の制御方法。
【請求項７】
基板液処理装置を制御する制御装置によって実行されるプログラムが記録された記録媒体であって、
前記プログラムが前記制御装置によって実行されることにより、請求項６に記載された制御方法を、基板液処理装置に実施させる、記録媒体。
【発明の詳細な説明】
【技術分野】
【０００１】
本発明は、液を用いて被処理体を枚葉式に処理する基板液処理装置に関する。特には、基板液処理装置において、被処理体に供給した液を回収するための構造に関する。
【背景技術】
【０００２】
半導体製品の製造プロセスやフラットパネルディスプレー（ＦＰＤ）の製造プロセスにおいては、被処理基板である半導体ウエハやガラス基板に処理液を供給して液処理を行うプロセスが多用されている。このようなプロセスとして、例えば、基板に付着したパーティクルやコンタミネーション等を除去する洗浄処理などがある。
【０００３】
このような液処理を実施する液処理装置として、半導体ウエハ等の基板をスピンチャックに保持し、基板を回転させた状態でウエハの表面または表裏面に処理液を供給して処理を行う枚葉式の複数の処理ユニットが知られている。
【０００４】
基板に供給された処理液は、回転する基板から振り切られて、基板載置台の周辺領域でミストとなって飛散する。このミストを回収する機構として、特許文献１に、薬液回収用カップとリンス液回収用カップとが開示されている。
【０００５】
この従来の機構は、図７に示す通り、薬液回収用カップ１１５とリンス液回収用カップ１１６とが、中間カップ壁１３０によって分離されており、更に、当該中間カップ壁１３０がエアシリンダ１３２によって昇降自在である。
【０００６】
エアシリンダ１３２が収縮して中間カップ壁１３０が下降位置にある時（図７の状態）、薬液回収用カップ１１５の開口１１５ａが大きく開いてスピンチャック１１１上の基板Ｗの周縁に対向する。この状態で薬液処理が行われ、基板Ｗから振り切られた薬液（そのミストを含む）が、薬液回収用カップ１１５に回収される。
【０００７】
一方、エアシリンダ１３２が伸張して中間カップ壁１３０が上昇位置にある時、リンス液回収用カップ１１６の開口１１６ａが大きく開いてスピンチャック１１１上の基板Ｗの周縁に対向する。この状態でリンス液処理が行われ、基板Ｗから振り切られたリンス液（そのミストを含む）が、リンス液回収用カップ１１６に回収される。
【先行技術文献】
【特許文献】
【０００８】
【特許文献１】特開２０００−１８３０１０号公報
【発明の概要】
【発明が解決しようとする課題】
【０００９】
しかしながら、図７を用いて説明したミスト回収機構では、２種類のミストを分離回収することが可能であるが、当該ミスト回収機構をベースにして、３種類以上のミストを分離回収できる構成を実現することは、実質的に不可能であった。
【００１０】
本発明は、このような事情に基づいて行われたものであり、その目的は、３種類以上のミストを分離回収できるような、基板液処理装置、特には、基板液処理装置におけるミスト回収機構、を提供することにある。
【課題を解決するための手段】
【００１１】
本発明は、基板を保持する載置台と、前記載置台を回転させる回転駆動部と、前記載置台に載置される基板に液体を供給する液体供給部と、前記載置台に載置されて回転する基板から飛散する液体を下方へ案内するために、上から順に設けられた、液体案内上部カップと、液体案内中央カップと、液体案内下部カップと、前記液体案内中央カップを昇降させるための駆動機構と、を備え、前記駆動機構が前記液体案内中央カップを昇降させることによって、前記液体案内中央カップは、その昇降移動の一部において、前記液体案内下部カップ及び前記液体案内上部カップからは独立に昇降する一方、その昇降移動の他の一部において、前記液体案内下部カップ及び／または前記液体案内上部カップと共に昇降するようになっていることを特徴とする基板液処理装置である。
【００１２】
本発明によれば、液体案内中央カップがその昇降移動の一部において液体案内下部カップ及び液体案内上部カップからは独立に昇降することにより、液体案内上部カップと液体案内中央カップとの間の間隔、及び／または、液体案内中央カップと液体案内下部カップとの間の間隔が可変となっており、鉛直方向の省スペース化を実現することができる。また、液体案内上部カップと液体案内中央カップとの間の間隔、及び／または、液体案内中央カップと液体案内下部カップとの間の間隔が可変となっていることにより、各カップの下方領域を有効活用することが容易であり、回収した液体を一時的に貯留するタンクを当該下方領域に設けることができる。
【００１３】
好ましくは、前記載置台に載置されて回転する基板から飛散する液体を、液体案内上部カップと液体案内中央カップとの間で案内する時、液体案内中央カップと液体案内下部カップとの間は閉塞される。
【００１４】
また、好ましくは、前記載置台に載置されて回転する基板から飛散する液体を、液体案内中央カップと液体案内下部カップとの間で案内する時、液体案内上部カップと液体案内中央カップとの間は閉塞される。
【００１５】
具体的には、例えば、前記液体案内下部カップは、その外周壁に外側フランジを有しており、前記液体案内中央カップは、前記液体案内下部カップの前記外側フランジを下方から支持可能な内周側当接部を有しており、前記液体案内中央カップの前記内周側当接部が前記液体案内下部カップの前記外側フランジを下方から支持した状態において、前記液体案内中央カップが上昇する時、前記液体案内下部カップも同時に上昇するようになっている。
【００１６】
このような構成を採用することにより、液体案内中央カップを昇降させる駆動機構の動力によって、液体案内下部カップの昇降を容易に実現することができる。すなわち、駆動系の構造を簡素化することができる。
【００１７】
また、具体的には、例えば、前記液体案内上部カップは、その外周壁に外側フランジを有しており、前記液体案内中央カップは、前記液体案内上部カップの前記外側フランジを下方から支持可能な外周側当接部を有しており、前記液体案内中央カップの前記外周側当接部が前記液体案内上部カップの前記外側フランジを下方から支持した状態において、前記液体案内中央カップが上昇する時、前記液体案内上部カップも同時に上昇するようになっている。
【００１８】
このような構成を採用することにより、液体案内中央カップを昇降させる駆動機構の動力によって、液体案内上部カップの昇降を容易に実現することができる。すなわち、駆動系の構造を簡素化することができる。
【００１９】
また、本発明は、基板を保持する載置台と、前記載置台を回転させる回転駆動部と、前記載置台に載置される基板に液体を供給する液体供給部と、前記載置台に載置されて回転する基板から飛散する液体を下方へ案内するために、上から順に設けられた、液体案内上部カップと、液体案内中央カップと、液体案内下部カップと、前記液体案内中央カップを昇降させるための駆動機構と、を備え、前記駆動機構が前記液体案内中央カップを昇降させることによって、前記液体案内中央カップは、その昇降移動の一部において、前記液体案内下部カップ及び前記液体案内上部カップからは独立に昇降する一方、その昇降移動の他の一部において、前記液体案内下部カップ及び／または前記液体案内上部カップと共に昇降するようになっていることを特徴とする基板液処理装置を制御する制御方法であって、前記駆動機構を制御して、前記液体案内中央カップを、前記液体案内下部カップ及び前記液体案内上部カップからは独立に昇降する工程と、前記駆動機構を制御して、前記液体案内中央カップを、前記液体案内下部カップ及び／または前記液体案内上部カップと共に昇降する工程と、を備えたことを特徴とする基板液処理装置の制御方法である。
【００２０】
また、本発明の一態様による記録媒体は、基板液処理装置を制御する制御装置によって実行されるプログラムが記録された記録媒体であって、前記プログラムが前記制御装置によって実行されることにより、前述した制御方法を基板液処理装置に実施させる。
【図面の簡単な説明】
【００２１】
【図１】図１は、本発明の一実施の形態による液処理装置の第一回収状態を概略的に示す構成断面図である。
【図２】図２は、本発明の一実施の形態による液処理装置の第二回収状態を概略的に示す構成断面図である。
【図３】図３は、本発明の一実施の形態による液処理装置の第三回収状態を概略的に示す構成断面図である。
【図４】図４は、図１に対応する第一回収状態の詳細を示す断面図である。
【図５】図５は、図２に対応する第二回収状態の詳細を示す断面図である。
【図６】図６は、図３に対応する第三回収状態の詳細を示す断面図である。
【図７】図７は、従来の液処理装置を概略的に示す構成断面図である。
【発明を実施するための形態】
【００２２】
以下、図面を参照して本発明の実施の形態について説明する。本発明は、典型的には、半導体ウエハ（被処理体の一例）の洗浄処理、とりわけ薬液を用いた処理（薬液処理）に適用できる。（もっとも、この適用に限定されるものではない。）
【００２３】
図１に示すように、液処理装置１０は、枚葉式の基板液処理装置であって、枚葉式に基板が搬入出されて処理される基板処理室１１を有している。基板処理室１１には、例えば半導体ウエハのような基板が載置される載置台１２が設けられている。載置台１２は、回転モータ（回転駆動部の一例）１３によって水平面内で回転されるようになっている、
また、基板処理室１１には、各種の処理液を基板の上面に対して供給するノズル（液体供給部の一例）１４が設けられている。ノズル１４は、例えば選択的に、各種の処理液の供給源（不図示）に接続されるようになっている。そして、載置台１２の周辺には、飛散する処理液やそのミストを案内するためのミスト案内カップ１５が設けられている。ミスト案内カップ１５は、大まかにはリング状の部材であるが、上方開口端の径より下方開口端の径の方が大きくなっており、その断面は上に凸の曲線となっている。
【００２４】
そして、本実施の形態では、ミスト案内カップ１５の周縁端領域の上方に、液体案内上部カップ２１のミスト案内カップ１５側の端縁（内周側の端縁）が設けられている。液体案内上部カップ２１は、大まかには、切頭円錐形状の傾斜部と、当該傾斜部の外周側端から下方に延びる鉛直部と、を有している。
【００２５】
また、ミスト案内カップ１５側の端縁が当該ミスト案内カップ１５の周縁端領域に対してその下方から上方まで鉛直方向に移動可能に、液体案内中央カップ２２が設けられている。液体案内中央カップ２２には、これを昇降させるための昇降シリンダ２５が接続されている（もっとも、液体案内中央カップ２２を昇降させるための駆動機構は、昇降シリンダ２５に限定されない）。液体案内中央カップ２２も、大まかには、切頭円錐形状の傾斜部と、当該傾斜部の外周端から下方に延びる鉛直部と、を有している。
【００２６】
そして更に、ミスト案内カップ１５側の端縁が当該ミスト案内カップ１５の周縁端領域に対してその下方から上方まで鉛直方向に移動可能に、液体案内下部カップ２３が設けられている。液体案内下部カップ２３も、大まかには、切頭円錐形状の傾斜部と、当該傾斜部の外周側端から下方に延びる鉛直部と、を有している。
【００２７】
図１の状態では、液体案内中央カップ２２が昇降シリンダ２５によって最も低い位置に位置決めされている。この状態は、後に詳述する図４の状態に対応している。この状態で、液体案内上部カップ２１は、基板処理室１１に設けられた支持突部２９ｓ（図４参照）によって下方から支持されており、すなわち、液体案内中央カップ２２によっては支持されていない状態にある。また、液体案内下部カップ２３も、載置台１２と一体に固定された部材２８に形成された支持突部２８ｓによって下方から支持されており、すなわち、液体案内中央カップ２２によっては支持されていない状態にある。
【００２８】
本実施の形態では、液体案内上部カップ２１をも、鉛直方向に移動可能となっている。具体的には、液体案内上部カップ２１は、その外周壁に外側フランジ２１ａを有しており、液体案内中央カップ２２は、液体案内上部カップ２１の外側フランジ２１ａを下方から支持可能な外周側当接部２２ａを有しており、液体案内中央カップ２２の外周側当接部２２ａが液体案内上部カップ２１の外側フランジ２１ａを下方から支持した状態においては、液体案内中央カップ２２が昇降シリンダ２５によって鉛直方向に移動する時、液体案内上部カップ２１も同様に鉛直方向に移動するようになっている。
【００２９】
すなわち、液体案内中央カップ２１は、その鉛直方向移動の一部において、液体案内上部カップ２１からは独立に鉛直方向に移動する一方、他の一部において、液体案内上部カップ２１と共に鉛直方向に移動するようになっている。
【００３０】
このような構成を採用することにより、液体案内中央カップ２２を昇降させる昇降シリンダ２５の動力によって、液体案内上部カップ２１の昇降をも実現することができる。すなわち、駆動系の構造が簡便である。
【００３１】
もっとも、外側フランジ２１ａと外周側当接部２２ａとの当接を利用する態様は、単なる一例に過ぎない。液体案内上部カップ２１の任意の部位と液体案内中央カップ２２の任意の部位とを適宜に選択ないし形成して、それらの当接を適宜に利用することができる。あるいは、液体案内上部カップ２１を昇降させる駆動機構を、昇降シリンダ２５とは別個に設けてもよい。
【００３２】
また、液体案内下部カップ２３は、その外周壁に外側フランジ２３ｂを有しており、液体案内中央カップ２２は、液体案内下部カップ２３の外側フランジ２３ｂを下方から支持可能な内周側当接部２２ｂを有しており、液体案内中央カップ２２の内周側当接部２２ｂが液体案内下部カップ２３の外側フランジ２３ｂを下方から支持した状態においては、液体案内中央カップ２２が昇降シリンダ２５によって鉛直方向に移動する時、液体案内下部カップ２３も同様に鉛直方向に移動するようになっている。
【００３３】
すなわち、液体案内中央カップ２２は、その鉛直方向移動の一部において、液体案内下部カップ２３からは独立に鉛直方向に移動する一方、他の一部において、液体案内下部カップ２３と共に鉛直方向に移動するようになっている。
【００３４】
このような構成を採用することにより、液体案内中央カップ２２を昇降させる昇降シリンダ２５の動力によって、液体案内下部カップ２３の昇降をも実現することができる。すなわち、駆動系の構造が簡便である。
【００３５】
もっとも、外側フランジ２３ｂと内周側当接部２２ｂとの当接を利用する態様は、単なる一例に過ぎない。液体案内下部カップ２３の任意の部位と液体案内中央カップ２２の任意の部位とを適宜に選択ないし形成して、それらの当接を適宜に利用することができる。あるいは、液体案内下部カップ２３を昇降させる駆動機構を、昇降シリンダ２５とは別個に設けてもよい。
【００３６】
なお、内周側当接部２２ｂは、液体案内のための棚部としても機能する。図４に示すように、当該棚部２２ｂは、内周側が低い傾斜面（テーパ面）になっている。
【００３７】
また、液体案内下部カップ２３の底部にも、液体案内のための棚部が設けられている。図４に示すように、当該棚部も、内周側が低い傾斜面（テーパ面）になっている。
【００３８】
以上のような構成において、液体案内上部カップ２１の鉛直方向の位置と、液体案内中央カップ２２の鉛直方向の位置と、前記液体案内下部カップ２３の鉛直方向の位置とは、次の３つの回収状態を実現するように制御される。
【００３９】
すなわち、液体案内中央カップ２２のミスト案内カップ１５側の端縁と液体案内下部カップ２３のミスト案内カップ１５側の端縁とがミスト案内カップ１５の周縁端領域に対する下方に位置決めされて、液体案内上部カップ２１と液体案内中央カップ２２との間を介して液体を回収する第一回収状態（図１）と、液体案内中央カップ２２のミスト案内カップ１５側の端縁がミスト案内カップ１５の周縁端領域に対する上方に位置決めされ、且つ、液体案内下部カップ２３のミスト案内カップ１５側の端縁がミスト案内カップ１５の周縁端領域に対する下方に位置決めされて、液体案内中央カップ２２と液体案内下部カップ２３との間を介して液体を回収する第二回収状態（図２）と、液体案内中央カップ２２のミスト案内カップ１５側の端縁と液体案内下部カップ２３のミスト案内カップ１５側の端縁とがミスト案内カップ１５の周縁端領域に対する上方に位置決めされて、液体案内下部カップ２３の下方を介して液体を回収する第三回収状態（図３）と、を実現するように制御される。
【００４０】
そして、第一回収状態で回収される液体は、液体案内上部カップ２１、液体案内中央カップ２２及び液体案内下部カップ２３の下方領域の外周側領域に設けられた第一ドレイン用タンク３１に案内されるようになっている（図１）。
【００４１】
また、第三回収状態で回収される液体は、液体案内上部カップ２１、液体案内中央カップ２２及び液体案内下部カップ２３の下方領域の内周側領域に設けられた第三ドレイン用タンク３３に案内されるようになっている（図３）。
【００４２】
そして、第二回収状態で回収される液体は、径方向に見て第一ドレイン用タンク３１と第三ドレイン用タンク３３との間に設けられた第二ドレイン用タンク３２に案内されるようになっている（図２）。
【００４３】
図１乃至図３に示すように、第一ドレイン用タンク３１と、第二ドレイン用タンク３２と、第三ドレイン用タンク３３とは、径方向に連続するように配置されている。
【００４４】
本実施の形態では、更に第三ドレイン用タンク３３の内径側に、第四ドレイン用タンク３４が設けられている。そして、第四ドレイン用タンク３４の更に内径側の領域は、気体を逃がす気体用経路となっている。
【００４５】
次に、第一回収状態乃至第三回収状態について、それぞれ図４乃至図６を用いて、詳細に説明する。図４は、図１の第一回収状態の詳細を示す断面図である。この第一回収状態では、図４に示すように、液体案内上部カップ２１の外側フランジ２１ａが支持突部２９ｓによって支持されて、液体案内上部カップ２１のミスト案内カップ１５側の端縁がミスト案内カップ１５の周縁端領域に対する上方に位置決めされる一方、液体案内中央カップ２２のミスト案内カップ１５側の端縁と液体案内下部カップ２３のミスト案内カップ１５側の端縁とがミスト案内カップ１５の周縁端領域に対する下方に位置決めされている。これにより、液体案内上部カップ２１と液体案内中央カップ２２との間を介して液体（及びそのミスト）が回収される。
【００４６】
詳細には、液体（及びそのミスト）は、液体案内上部カップ２１の傾斜部と液体案内中央カップ２２の傾斜部との間を通って、更に液体案内中央カップ２２の鉛直部の外周側領域を通って、第一ドレイン用タンク３１に至る。液体案内中央カップ２２の鉛直部の外周側領域において液体（及びそのミスト）の流路を確保するために、液体案内中央カップ２２の鉛直部と外周側当接部２２ａとは、周方向に所定間隔をあけて数カ所のみで接続されている。
【００４７】
また、第一回収状態においては、前述の通り、液体案内中央カップ２２が昇降シリンダ２５によって最も低い位置に位置決めされている。従って、そのような低位置にある液体案内中央カップ２２と干渉することが無いように、第一ドレイン用タンク３１の内周側隔壁の高さは低く形成されている。
【００４８】
また、第一回収状態においては、前述の通り、液体案内下部カップ２３が載置台１２と一体に固定された部材２８に形成された支持突部２８ｓによって下方から支持されている。そして、液体案内中央カップ２２の傾斜部が液体案内下部カップ２３の傾斜部と重なっている、すなわち、液体案内中央カップ２２と液体案内下部カップ２３との間隔が最小化されている。これにより、鉛直方向の省スペースが実現されている。すなわち、液体案内下部カップ２３の鉛直部が、下方領域に設けられたドレイン用タンクと干渉することが回避されている。
【００４９】
また、この状態での液体案内中央カップ２２の位置決めは、その傾斜部が重力によって液体案内下部カップ２３の傾斜部に支持されることでなされてもよいし、昇降シリンダ２５の制御によってなされてもよい。
【００５０】
次に、図５は、図２の第二回収状態の詳細を示す断面図である。この第二回収状態では、液体案内中央カップ２２のミスト案内カップ１５側の端縁がミスト案内カップ１５の周縁端領域に対する上方に位置決めされ、且つ、液体案内下部カップ２３のミスト案内カップ１５側の端縁がミスト案内カップ１５の周縁端領域に対する下方に位置決めされている。これにより、液体案内中央カップ２２と液体案内下部カップ２３との間を介して液体（及びそのミスト）が回収される。
【００５１】
詳細には、液体（及びそのミスト）は、液体案内中央カップ２２の傾斜部と液体案内下部カップ２３の傾斜部との間を通って、更に液体案内下部カップ２３の鉛直部の外周側領域を通って、第二ドレイン用タンク３２に至る。液体案内下部カップ２３の鉛直部の外周側領域に外側フランジ２３ｂが設けられていることにより、ミストの液化が促進される。ここで、液体案内中央カップ２２の内周側当接部２２ｂは、内周側に突出するリング状の部位として形成されているが、当該内周側当接部２２ｂの存在によってもミストの液化が促進される。
【００５２】
第二回収状態においては、図５に示すように、液体案内上部カップ２１の外側フランジ２１ａが液体案内中央カップ２２の外周側当接部２２ａを介して押し上げられて、液体案内上部カップ２１は液体案内中央カップ２２によって支持されている。そして、液体案内中央カップ２２の傾斜部が液体案内上部カップ２１の傾斜部と重なっている、すなわち、液体案内中央カップ２２と液体案内上部カップ２１との間隔が最小化されている。これにより、鉛直方向の省スペースが実現されている。
【００５３】
この状態での液体案内中央カップ２２の位置決めは、昇降シリンダ２５の制御によってなされる。なお、液体案内下部カップ２３の位置は、第一回収状態と同じである。
【００５４】
次に、図６は、図３の第三回収状態の詳細を示す断面図である。この第三回収状態では、液体案内下部カップ２３のミスト案内カップ１５側の端縁をもミスト案内カップ１５の周縁端領域に対する上方に位置決めされている。これにより、液体案内下部カップ２３の下方を介して液体（及びそのミスト）が回収される。
【００５５】
詳細には、液体（及びそのミスト）は、液体案内下部カップ２３の傾斜部の下方を通って、更に液体案内下部カップ２３の鉛直部の内周側領域を通って、第三ドレイン用タンク３３に至る。図６に示すように、液体案内下部カップ２３の鉛直部の下端に、内周側に突出するリング状の部位を形成しておくと、当該部位によってミストの液化が促進される。
【００５６】
第三回収状態においても、図６に示すように、液体案内上部カップ２１の外側フランジ２１ａが液体案内中央カップ２２の外周側当接部２２ａを介して押し上げられて、液体案内上部カップ２１は液体案内中央カップ２２によって支持されている。そして、液体案内中央カップ２２の傾斜部が液体案内上部カップ２１の傾斜部と重なっている、すなわち、液体案内中央カップ２２と液体案内上部カップ２１との間隔が最小化されている。これにより、鉛直方向の省スペースが実現されている。
【００５７】
そして更に、第三回収状態においては、図６に示すように、液体案内下部カップ２１の外側フランジ２３ｂが液体案内中央カップ２２の内周側当接部２２ｂを介して押し上げられて、液体案内下部カップ２３は液体案内中央カップ２２によって支持されている。この時、液体案内中央カップ２２の傾斜部と液体案内下部カップ２３の傾斜部との間隔は、第一回収状態（図２）の時の間隔よりも大きいが、液体案内中央カップ２２と液体案内上部カップ２１との間隔が最小化されていることの効果が大きいため、全体としては鉛直方向の省スペースが実現されている。
【００５８】
この状態での液体案内中央カップ２２の位置決めは、昇降シリンダ２５の制御によってなされる。
【００５９】
実際の液処理では、第一ドレイン用タンク３１において有機液体を回収し、第二ドレイン用タンク３２において酸性液体を回収し、第三ドレイン用タンク３３においてアルカリ性液体を回収することが好ましい。第四ドレイン用タンク３４は、例えば、載置台１２の回転が低速である時に、各種液体を混在状態で回収するために利用され得る。
【００６０】
以上のような本実施の形態によれば、第三回収状態における液体案内中央カップ２２と液体案内上部カップ２１との間の間隔が、第一回収状態におけるそれよりも短い。従って、鉛直方向の省スペース化が実現されている。また、液体案内中央カップ２２と液体案内上部カップ２１との間の間隔、及び、液体案内中央カップ２２と液体案内下部カップ２３との間の間隔が可変であることにより、各カップの下方領域を有効活用することが容易であり、回収した液体を一時的に貯留するタンク３１〜３４を当該下方領域に設けることができる。このような配置関係を採用することにより、一旦液化した液体が再びミスト化することが抑制される。また、このような配置関係を採用することにより、各タンクへの液体案内ドレイン管の接続も容易となる。さらに、基板から振り切られてくる気体を逃がす経路も容易に設計することができる。
【００６１】
また、前述した通り、第一ドレイン用タンク３１の内周側の隔壁、すなわち、第一ドレイン用タンク３１と第二ドレイン用タンク３２との間の隔壁の高さが、第二ドレイン用タンク３２と第三ドレイン用タンク３３との間の隔壁の高さよりも、低くなっている。これにより、各カップ構造の設計自由度が向上される。
【００６２】
なお、本実施の形態では、第三回収状態における液体案内中央カップ２２と液体案内上部カップ２１との間の間隔が、第一回収状態におけるそれよりも短くなっているが、これに代えて（あるいは、これに加えて）、第三回収状態における液体案内中央カップ２２と液体案内下部カップ２３との間の間隔を、第二回収状態におけるそれよりも短くする態様も採用可能である。そのような態様においても、前記実施の形態と略同様の効果を得ることができる。
【符号の説明】
【００６３】
１０  基板液処理装置
１１  基板処理室
１２  載置台
１３  回転モータ（回転駆動部の一例）
１４  ノズル（液体供給部の一例）
１５  ミスト案内カップ
２１  液体案内上部カップ
２１ａ  外側フランジ
２２  液体案内中央カップ
２２ａ  外周側当接部
２２ｂ  内周側当接部
２３  液体案内下部カップ
２３ｂ  外側フランジ
２５  昇降シリンダ
２８  載置台と一体に固定された部材
２８ｓ  支持突部
２９ｓ  支持突部
３１  第一ドレイン用タンク
３２  第二ドレイン用タンク
３３  第三ドレイン用タンク
３４  第四ドレイン用タンク
【図１】
2011254016.tif 000003
【図２】
2011254016.tif 000004
【図３】
2011254016.tif 000005
【図４】
2011254016.tif 000006
【図５】
2011254016.tif 000007
【図６】
2011254016.tif 000008
【図７】
2011254016.tif 000009